(57)【要約】【課題】  写真自動販売装置の個体差を低減し、どの個体でも同じように美しい仕上がりの写真シートを提供することができる写真自動販売装置を提供することを目的とする。【解決手段】  補正用撮影体を所定の位置で撮影手段を使用して撮影することによって得られる第１の撮影データと、記憶手段に記憶されている基準データとを比較することによって第１補正値を決定する第１の補正値決定手段と、第１補正値を適用した第１の撮影データを印刷した補正用印刷媒体を所定の位置で撮影手段を使用して撮影し、さらに第１補正値を適用することによって得られる第２の撮影データと、基準データとを比較することによって第２補正値を決定する第２の補正値決定手段と、第１の補正値と第２の補正値に基づいて、印刷手段で印刷するための印刷画像を補正する補正手段とを備える。  【選択図】        図７
2006113492.tif 000002
【特許請求の範囲】
【請求項１】
補正用撮影体を所定の位置で撮影手段を使用して撮影することによって得られる第１の撮影データと、記憶手段に記憶されている基準データとを比較することによって第１補正値を決定する第１の補正値決定手段と、
第１補正値を適用した第１の撮影データを印刷した補正用印刷媒体を所定の位置で撮影手段を使用して撮影し、さらに第１補正値を適用することによって得られる第２の撮影データと、前記基準データとを比較することによって第２補正値を決定する第２の補正値決定手段と、
前記第１の補正値と前記第２の補正値に基づいて、印刷手段で印刷するための印刷画像を補正する補正手段とを備えることを特徴とする写真自動販売装置。
【発明の詳細な説明】
【技術分野】
【０００１】
この発明は、個体差を低減し、どの個体でも同じように美しい仕上がりの写真シートを提供することができる写真自動販売装置に関する。
【背景技術】
【０００２】
近年、ゲームセンター等の遊戯を提供する店舗において、写真を撮影してシールプリント等にする写真自動販売装置が数多く設置されている。このような写真自動販売装置には、一般に、利用者である被写体を写真自動販売装置に付属のカメラで撮影したり、利用者が所持するデジタルカメラやカメラ付携帯電話で撮影したりして得られた撮影画像を取得して、タブレットディスプレイなどに表示して付属のタッチペンで文字や図形などを入力する、いわゆる落書きやお絵描きといわれている編集機能があるものが一般的になっている。そして、このような編集入力された画像は撮影画像と合成され、その合成画像がプリンタで印刷されて利用者に提供される。
【０００３】
また、このような写真自動販売装置は、写真の仕上がりの美しさや被写体の肌写りの色合いや色調のよさに人気度が影響されるため、撮影時に美しい写り具合を実現するために照明などに様々な工夫がなされている。
【０００４】
上述のように美しい写り具合を実現するために、特許文献１には、被写体の背景の補正に使用する補正用撮影物を用い、記憶装置により補正用撮影物を撮影して得られる画像データに基づき撮影装置の予め予定されていた撮影条件の補正量を求め、この撮影条件の補正量により撮影装置の予め設定された撮影条件を補正することを特徴とする証明写真システムが開示されている。
【特許文献１】特開２００２−２６９６３５号公報
【発明の開示】
【発明が解決しようとする課題】
【０００５】
しかしながら、このような写真自動販売装置は照明の配置や内面の塗装など被写体の写り具合を十分考慮して構造を企画しているが、カメラやプリンタなどの写真自動販売装置を構成する要素の個体毎の違いや、プレイ空間の内面側の塗装などの色味や構造の違い、店舗による電圧の違いなどの要因により、個体差があるという問題があった。このため、最適な写り具合の企画意図に沿わない個体があるという問題があった。
【０００６】
また、写真自動販売装置が配置される場所であるゲームセンターなどによっては、外部の照明の明るさに差が生じる。また、稼働率の差やメンテナンス具合の差による汚れ方の大小なども店舗によって異なり、気温差などの影響も考えられる。このように写真自動販売装置は環境にも左右されるため、最適な写り具合を実現しようと計算された内部構造であっても、場所によっては狙った写り具合が実現できないという問題があった。
【０００７】
また、特許文献１に開示されているような証明写真システムでは、プリント時の色の不具合などに関しては解決できないという問題があった。
【０００８】
本発明はこれらの問題に鑑みてなされたものであって、写真自動販売装置の個体差を低減し、どの個体でも同じように美しい仕上がりの写真シートを提供することができる写真自動販売装置を提供することを目的とする。
【課題を解決するための手段】
【０００９】
上記目的を達成するために本発明の写真自動販売装置は、補正用撮影体を所定の位置で撮影手段を使用して撮影することによって得られる第１の撮影データと、記憶手段に記憶されている基準データとを比較することによって第１補正値を決定する第１の補正値決定手段と、第１補正値を適用した第１の撮影データを印刷した補正用印刷媒体を所定の位置で撮影手段を使用して撮影し、さらに第１補正値を適用することによって得られる第２の撮影データと、基準データとを比較することによって第２補正値を決定する第２の補正値決定手段と、第１の補正値と第２の補正値に基づいて、印刷手段で印刷するための印刷画像を補正する補正手段とを備えることを特徴とする。
【００１０】
上記写真自動販売装置によれば、写真自動販売装置の個体差を低減し、どの個体でも同じように美しい仕上がりの写真シートを提供することができる。
【発明を実施するための最良の形態】
【００１１】
［第１の実施形態］
【００１２】
［写真自動販売装置の外観］
【００１３】
図１は、本発明の実施の形態における写真自動販売装置１の外観の具体例を示す側面図である。
【００１４】
写真自動販売装置１は、本体装置２、背景装置３が対向して配備されており、これらとともにフレーム枠やパネルやサイドカーテンなどで外部と区分されたプレイ空間４を有する。かかる写真自動販売装置１を用いる際、開放されている側面から被写体である利用者はプレイ空間４に入り、本体装置２に相対する向きで撮影操作を行なう。そして撮影の後、撮影した画像に、いわゆるお絵描きと呼ばれるスタンプ画像やテキストなどをペン入力する編集操作を行なう。
【００１５】
背景装置３にはモータなどにより駆動される様々な色や柄の背景カーテン５（図示せず）が含まれ、それらを用いて撮影時の背景を形成する。背景カーテン５は、巻き上げ式、引き出し式など、利用者の手動操作によりセットされてもよいし、自動的にセットされてもよい。
【００１６】
図２は本体装置２を正面から見た斜視図である。本体装置２は、プリンタ６、コンピュータ装置１０１、および制御基板１０２などの各種機器類を収める。これらの詳細は、後に図３を用いて説明される。
【００１７】
本体装置２の正面には、被写体である利用者を撮影するためのＣＣＤ（Charge Coupled Device），ＣＭＯＳ（Complementary Mental Oxide Semiconductor）などの撮像素子からなるカメラ７と、カメラ７から撮像される映像をリアルタイムで表示して利用者に撮像される映像を視角確認させるためのライブモニタ８とが備えられる。カメラ７は複数備えられたり、移動や角度調節をできるようにしてもよい。カメラ７は、一般的にデジタルカメラが用いられる。一般的なデジタルカメラで設定できる項目（たとえばシャッタースピード、絞り値、露出補正、ホワイトバランスなど）の変更や撮影タイミングは、コンピュータ装置１０１から指示される
【００１８】
また、カメラ７の上側と右側と左側には、照明装置９ａ、９ｂ、９ｃとが設けられている。照明装置９ａ、９ｂ、９ｃは、内部に蛍光灯１０（図示せず）などの常灯照明とストロボ１１（図３参照）などの閃光照明（フラッシュ）を有している。ストロボ１１は、利用者から撮影の開始が指示され、カメラ７が取り込む画像を静止画像として記憶するとき、そのタイミングに合わせて発光し、被写体を照明する。
【００１９】
本体装置２の正面の垂直な面の下方のやや上向きの面の中央には、操作用モニタ１２が備えられ、操作用モニタ１２の上には透明なタッチパネル１３が積層されている。操作用モニタ１２には、撮影指示や選択肢やプレイ時の各種誘導案内などを行なう画面などが適宜表示され、積層するタッチパネル１３上にタッチペン１４Ｌ、１４Ｒでタッチされることによって行なわれる入力を検出する。利用者は、操作用モニタ１２に表示される選択肢に対して選択処理を行なったり、操作用モニタ１２に表示される編集画面などのインターフェイスを用いて、手書き入力処理（画像編集）を行なったりすることができる。
【００２０】
本体装置２の正面の前記操作モニタ１２の下方の本体装置２のほぼ垂直な面には、対価である硬貨を投入するためのコイン投入口１５と、不良硬貨などを排出するコイン排出口１６と、内部の機器類をメンテナンスするときに開閉するフロントドア１７とが備えられる。
【００２１】
本体装置２の側面の下方には、プリント取出口１８が設けられている。撮影され、手書き入力（画像編集）等が施された画像が、所定の数だけ、所定の大きさでシール紙に印刷され、得られたシール紙がシール取出口１８から排出される。プリント取出口１８付近には、印刷中ＬＥＤ（Light Emitting Diode）１９および印刷エラーＬＥＤ２０が備えられる。それらが点灯あるいは点滅することによって、印刷中、あるいは印刷中に用紙切れ、インク切れ、用紙詰り、メカニカルエラーなどのエラーが発生していることが通知される。
【００２２】
また、本体装置２には利用者に対し音楽や操作方法の説明などを音声で出力するスピーカ２１（図３参照）が備えられる。
【００２３】
さらに、本体装置２の内部の熱を逃がすためのファンや、外部装置への画像の配信リモートメンテナンスなどの、外部装置との通信を行なうときにケーブルを差込むためＬＡＮ（Local Area Network）ケーブル差込口などが備えられていることが好ましい。
【００２４】
上述のように写真自動販売装置１はプレイ空間４で、撮影操作（プレイ）と編集操作（プレイ）とを行なうように構成されているが、撮影プレイを行なう空間と編集プレイを異なる空間で行なうように構成してもよい。また、撮影プレイを行なう空間を複数備えたり、編集プレイを行なう空間を複数備えたりしてもよい。なお、撮影プレイと編集プレイとを異なる空間で行なう場合は、夫々に操作モニタを設ける。
【００２５】
［写真自動販売装置の機能構成］
【００２６】
図３は、かかる写真自動販売装置１の機能構成の具体例である。
【００２７】
図３を参照して、本実施の形態にかかる写真自動販売装置１は、写真自動販売装置１を動作させるための処理を実行するコンピュータ装置１０１と、動作中のコンピュータ装置１０１からの指示を受付けて、接続されている各種装置を制御する制御基板１０２とを備える。
【００２８】
コンピュータ装置１０１は、コンピュータ装置１０１の制御を行なう演算装置であるＣＰＵ（Central Processing Unit）１０３と、装置を動作させるためのプログラムおよびプログラムで必要なグラフィックデータ、音声データ、撮影された画像や撮影画像に対して入力した編集画像その他各種画像などを記憶する記憶部１０４と、プログラムの一時的な作業領域となるメモリ１０５と、外部装置と通信を行なう通信端末１０６と、プリンタ６、カメラ７などの周辺機器を制御するためのソフトウェアであるドライバ（不図示）とを含む。
【００２９】
コンピュータ装置１０１は、上記プログラムの実行や、タッチパネル１３から受信した利用者がタッチペン１４Ｌ、Ｒでタッチすることによって行なわれる入力操作にしたがった指示信号に基づいて、制御基板１０２に対して制御信号を送信する。
【００３０】
コンピュータ装置１０１は、カメラ７、ライブモニタ８、操作モニタ１２、タッチパネル１３、本体装置２の内部にあるプリンタ６、制御基板１０２と接続されそれらを制御する。
【００３１】
なお、コンピュータ装置１０１に各々接続される構成要素はこのような形態に限定されず、機能ごとに分かれていたり、位置ごとに分かれていたりしてもよい。さらに、コンピュータ装置１０１は本実施形態のような１台のみで構成されていなくてもよく、２台以上で構成されていてもよい。
【００３２】
電源スイッチ（不図示）が押され、写真自動販売装置１に電源プラグより電源が投入されると、上記プログラムが起動されて、コンピュータ装置１０１は、接続されるプリンタ６での出力や、カメラ７のシャッタタイミングや、ライブモニタ８での表示や、操作用モニタ１２での表示を制御する。
【００３３】
プリンタ６は、撮影された画像を紙やシールや金属やプラスチックなどの印刷媒体に印刷するためのプリンタであって、昇華型プリンタやサーモオートクローム方式（光定着型直接感熱記録方式）等のプリンタが一般的に用いられる。なお、本実施の形態においてはプリンタ６でシールシートが印刷されるものとして説明を行なうが、印刷媒体はシールシートに限定されず、他の印刷媒体であっても同様の処理が実行される。プリンタ６は、上述の用紙切れなどの状態をコンピュータ装置１０１に通知する。コンピュータ装置１０１は、その状態に応じて制御基板１０２に制御信号を送信する。
【００３４】
タッチパネル１３は、操作モニタ１２の上に積層されている。タッチパネル１３は、タッチペン１４Ｌ，Ｒからの入力を検出する。タッチペン１４Ｌ，Ｒでの入力操作によってタッチパネル１３により検出されたデータ信号は、コンピュータ装置１０１に送信される。操作モニタ１２は、コンピュータ装置１０１から送信されるデータが表示される。したがって、利用者が落書きなどを入力している最中は、落書きなどが施された撮影画像が、操作モニタ１２に表示される。すなわち、利用者は操作モニタ１２に表示された撮影画像に対して、タッチペン１４Ｌ，Ｒを使用して、その上に落書き入力処理を行なうことができる。
【００３５】
制御基板１０２は、コンピュータ装置１０１の他に、ストロボ制御部１１０、音声出力制御部１１１、コイン制御部１１２、サービスパネル１１３に接続される。
【００３６】
ストロボ制御部１１０は、カメラ７に接続され、カメラ７におけるシャッタタイミングに応じた同期信号を取得する。そして、カメラ７のシャッタタイミングに同期させて、ストロボ１１を発光させるように制御する。なお、ストロボ制御部１１０は制御基板１０２と接続され、発光させるストロボ１１などの閃光照明装置の選定や、ストロボ１１の発光度の設定がなされる。蛍光灯１０（図示せず）などの照明装置も同様に制御基板１０２と接続され、その照明度合いなどの設定がなされることが好ましい。
【００３７】
音声出力制御部１１１は制御基板１０２を介してコンピュータ装置１０１と接続され、スピーカ２１は、コンピュータ装置１０１からの指示に従って、制御基板１０２を介して指示信号を受信し、写真自動販売装置のプレイにおける操作などの案内や、撮影時のＢＧＭなどを出力する。なお、スピーカ２１から出力する音声のボリュームを調整する音量調整つまみなどは、サービスパネル１１３に備えられる。
【００３８】
コイン制御部１１２は、コイン投入口１５に投入されたコインの正当性を検出し、制御基板１０２にコインが投入されたことを示す検出信号を送信する。
【００３９】
制御基板１０２はコンピュータ装置１０１から受信した制御信号（指示コマンドなど）にしたがって、コイン制御部１１２に対して制御信号を送信する。コイン制御部１１２は、該制御信号にしたがって、コインが投入されないようにコイン投入口１５をブロックしたり、コイン排出口１６に排出したりすることができる。このことで、たとえば、プレイ中にコイン投入を禁止することができる。
【００４０】
サービスパネル１１３は、投入されたコインの枚数をカウントするコインカウンタ、印刷されたプリントの枚数をカウントするプリントカウンタ、スピーカ２１から出力する音声のボリュームを調整する音量調整つまみ、テストモードを行なうためのテストボタン、およびコインを投入しなくても装置が利用できるようにするためのサービスボタン等を備えるパネルであって、写真自動販売装置１の設置者（操作者）が各種設定やメンテナンスの操作を行なう際に用いられる。サービスパネル１１３は、サービスボタンの操作などの制御操作が行なわれると、その操作にしたがった制御信号を制御基板１０２に対して送信する。
【００４１】
制御基板１０２は、コンピュータ装置１０１から受信した制御信号（指示コマンドなど）にしたがって、サービスパネル１１３に対して制御信号送信する。サービスパネル１１３は、該制御信号に従って、コインカウンタやプリントカウンタを動作させる（たとえばカウンタを１インクリメントする）。
【００４２】
さらに、制御基板１０２は、コンピュータ装置１０１から、プリンタ６の状態に応じた制御信号を受信し、該制御信号にしたがって、印刷中ＬＥＤ１９、および印刷エラーＬＥＤ２０を制御する。かかる制御信号によって、印刷中ＬＥＤ１９、および印刷エラーＬＥＤ２０が点灯または点滅する。
【００４３】
なお、言うまでもなく、写真自動販売装置１の形態は図１〜図３に示される具体例に限定されるものではない。すなわち、図１〜図３に記載されない他の機能が備えられていてもよいし、図１〜図３に記載されている機能の必ずしもすべてが備えられていなくても構わない。たとえば、プリンタ６は写真自動販売装置本体に含まれていなくてもよく、その場合、写真自動販売装置１は、ＬＡＮ等の専用回線や無線通信等を介して印刷制御信号をプリンタ６に出力するものとする。
【００４４】
［写真自動販売装置の処理］
【００４５】
図４は、本実施の形態における写真自動販売装置１の処理を示すフローチャートである。図４のフローチャートに示される処理は、コンピュータ装置１０１のＣＰＵ１０３が、記憶部１０４に格納された動作プログラムをメモリ１０５に読出して実行することによって実現される。
【００４６】
図を参照して、まず写真自動販売装置１に備わる電源スイッチが操作されると、各種装置の電源が投入される。すると、コンピュータ装置１０１のＣＰＵ１０３に格納された動作プログラムが起動する。コンピュータ装置１０１は、各種装置が正常に接続されているかチェックし、初期化が必要な装置に対しては初期化を行なう（Ｓ１）。その後、ＣＰＵ１０３は写真自動販売装置１の利用を促すタイトルデモを操作モニタ１２に表示し、同時に音声出力制御部１１１は、操作モニタ１２の表示に対応してスピーカ２１から音声案内を出力する（Ｓ２）。
【００４７】
操作モニタ１２にタイトルデモが表示されている状態のとき、サービスパネル１１３のテストボタンをタッチすることによって（Ｓ３）、写真自動販売装置１のメンテナンスを行なうためのテストモード（Ｓ４）を起動することができる。本発明の本質である画質補正設定処理は、テストモードで行なうことができるが、これは後に詳細を説明する。
【００４８】
また、ＣＰＵ１０３はコイン制御部１１２において、写真自動販売装置１を利用するためのコインのがコイン投入口１５に投入されたか否かを監視する（Ｓ５）。そして、タイトルデモ表示中にコインの投入を受け付け、所定数の対価が投入された場合（Ｓ５でＹＥＳ）、撮影処理を開始する（Ｓ６）。複数の撮影コースで構成されている場合は、撮影前に利用者から撮影コースの選択を受付ける。
【００４９】
まず、写真自動販売装置１における処理（プレイ）は、撮影プレイから始まる。はじめに、カメラ７が取得する画像を、ライブモニタ８にリアルタイム表示する。利用者は、ライブモニタ８に表示される画像を見ながら、好みの表情やポーズをとることができる。
【００５０】
利用者は所定の撮影案内に従い順次撮影していき、所定回数撮影したか否かを判定する（Ｓ７）。所定回数撮影していない場合（Ｓ７でＮＯ）、ステップＳ６に戻り撮影を繰り返し行なう。所定回数撮影した場合（Ｓ７でＹＥＳ）、ステップＳ８に移る。なお、撮影処理は、所定の時間が経過したら撮影プレイを終了するという形態でもよい。
【００５１】
所定回数の撮影が終了すると（Ｓ７でＹＥＳ）、撮影した画像を操作用モニタ１２に全て表示し、編集する画像（編集対象画像）の選択を受付ける（Ｓ８）。ＣＰＵ１０３は、編集対象画像の選択を受付けたら、編集対象画像を編集に使用できるように準備する。
【００５２】
ついで、ＣＰＵ１０３は、タッチペン１４Ｌ，Ｒによる編集対象画像に対するスタンプやペンなどの編集用画像の入力を受け付ける落書き入力処理（編集）を行なう（Ｓ９）。
【００５３】
図５は落書き入力処理を行なうための編集画面を示す図である。利用者は、編集制限時間内は図５に図示するような編集画面において編集プレイを行なうことができる。編集画面は複数の画面で構成され、複数の利用者が専用のタッチペン１４Ｌ，Ｒで同時に編集することができるようになっている。もちろん、編集画面は単数で構成されていてもよい。編集制限時間は利用者にわかりやすいように、操作用モニタ１２の編集画面上に残り時間を表示し、カウントダウンを行なう。
【００５４】
利用者が編集処理を行なっている間、ＣＰＵ１０３は、編集処理が終了したかどうかを監視する（Ｓ１０）。編集処理は、残り時間が“０”になり編集制限時間に達したか、または、画面に表示された「おしまい」ボタンがタッチされることで強制的に終了させることによって終了する。
【００５５】
「おしまい」ボタンが押されておらず、編集制限時間に達していない場合、すなわち編集が終了していない場合は（Ｓ１０でＮＯ）、編集処理を継続して行ない、「おしまい」ボタンが押されるか、編集制限時間に達した場合、すなわち編集が終了した場合は（Ｓ１０でＹＥＳ）、シールシートに印刷するための印刷画像を作成する処理を行なう（Ｓ１１）。
【００５６】
［印刷画像作成処理］
【００５７】
図４のステップＳ１１における印刷画像作成処理について説明する。図６は印刷画像作成処理を示すフローチャートである。印刷画像作成処理では、後述の画質補正設定で第１の補正値と第２の補正値が設定された場合に、それぞれの補正値を撮影画像に適用することにより、利用者に、より高品質な仕上がりのシールシートを提供することができる。
【００５８】
図４のステップＳ１０で、編集処理が終了したら、ＣＰＵ１０３は、後述の画質補正設定が適用されているかどうかを判定する（Ｓ２１）。画質補正設定が適用されていなければ（Ｓ２１でＮＯ）、ステップＳ２４へ移る。
【００５９】
画質補正設定が適用されていれば（Ｓ２１でＹＥＳ）、印刷対象画像に記憶部１０４に記憶されている後述の第１の補正値を適用し（Ｓ２２）、第１の補正値を適用したら、さらに記憶部１０４に記憶されている後述の第２の補正値を適用し（Ｓ２３）、ステップＳ５４へ移る。
【００６０】
ステップＳ２４において、ＣＰＵ１０３は、印刷対象画像と落書き入力画像を合成し合成画像を作成する。そして、ＣＰＵ１０３は、シールシートに印刷するときのレイアウトを選択させるための印刷レイアウト選択画面を操作モニタ１２に表示する（Ｓ２５）。利用者が印刷レイアウトを選択したら、選択された印刷レイアウトを適用し、印刷画像データを作成し（Ｓ２６）、図４のステップＳ１２へ移る。
【００６１】
そして、ステップＳ１１で生成された印刷画像データをプリンタ６に送信して印刷処理を開始する（Ｓ１２）。そしてシールシートに印刷してプリント取出口１８へ排出する。
【００６２】
また、ＣＰＵ１０３は、利用者をプリンタ６の前に誘導する音声（例えば、「シールは左から出るよ！」）をスピーカ２１から出力し、利用者をプリント取出口１８の前に誘導する表示を操作モニタ１２に表示するよう制御する。このようにすることにより、編集プレイが終了した利用者をプリント取出口１８へ誘導する。そしてステップＳ２へ再び戻り、操作用モニタ１２には再びタイトルデモ画面を表示する。
【００６３】
［テストモード（画質補正設定処理）］
【００６４】
次に、テストモードにおける画質補正設定処理の説明をする。図７はテストモードにおける画質補正設定処理を示すフローチャートである。
【００６５】
テストモードでは、写真自動販売装置１の設置者が写真自動販売装置１のメンテナンスを行なうためのテストモードを実行することができる。このモードにおいては、写真自動販売装置１の画質補正設定、印刷調整、利用状況（例えば、コイン投入数等）の確認、初期化、カメラ７等の周辺機器の調整ができ、種々の設定を受け付ける。このテストモードを終了すると、図４のステップＳ２へ戻る。
【００６６】
ここで、写真自動販売装置１の設置者（操作者）とは、写真自動販売装置１を設置し営業を行なっている店舗などの経営者、管理者、および従業員であり、営業中に利用者に対応できるものである。
【００６７】
図４のステップＳ３で、サービスパネル１１３のテストボタンが押下されると、ＣＰＵ１０３は、図８が図示するメニュー画面を操作モニタ１２に表示する（Ｓ３１）。
【００６８】
図８は、テストモードのメニュー画面の具体例である。テストモードのメニュー画面では、テストモードで行なうことができる機能が選択的に表示される。
【００６９】
ここで、設置者（操作者）により、画質補正設定が選択されると（Ｓ３２でＹＥＳ）、ステップＳ３４に移る。画質補正設定が選択されず（Ｓ３２でＮＯ）、「終了」ボタンがタッチされると（Ｓ３３でＹＥＳ）、テストモードを終了し、図４のステップＳ２へ戻る。「終了」ボタンがタッチされない場合は（Ｓ３３でＮＯ）、引き続き設置者（操作者）の操作を監視する。ここで、他の機能が選択されると選択された機能の処理へ移行する。
【００７０】
画質補正設定は、量産することにより個体差ができてしまう写真自動販売装置１の撮影条件や印刷条件などの誤差を、画質補正を行なうことにより補正し、どの写真自動販売装置１でも均質な画像を得られるようにするための設定モードである。
【００７１】
図９は、画質補正設定画面の具体例である。画質補正設定が選択されると、ＣＰＵ１０３は、図９が図示する画質補正設定画面を操作モニタ１２に表示する（Ｓ３４）。
【００７２】
そして、ＣＰＵ１０３は、「画質補正設定スタート」ボタンがタッチされたかどうか監視し（Ｓ３５）、「画質補正設定スタート」ボタンがタッチされていない場合は（Ｓ３５でＮＯ）、「メニューへ戻る」ボタンがタッチされたかどうか監視する（Ｓ３６）。
【００７３】
「メニューへ戻る」ボタンがタッチされた場合（Ｓ３６でＹＥＳ）、設定処理をキャンセルし、ステップＳ３１へ戻り、テストモードのメニュー画面を表示する。「メニューへ戻る」ボタンがタッチされない場合（Ｓ３６でＮＯ）、ステップＳ３５へ戻り、「画質補正設定スタート」ボタンがタッチされたか否かを監視する。「画質補正設定スタート」ボタンがタッチされたら（Ｓ３６でＹＥＳ）、第１の補正値を決定する処理を行なう（Ｓ３７）。
【００７４】
［第１の補正値決定処理］
【００７５】
図７のステップＳ３７における画質補正設定処理における第１の補正値決定処理について説明する。図１０は第１の補正値決定処理を示すフローチャートである。
【００７６】
第１の補正値決定処理では、補正用撮影体２３を撮影する。図１１は、補正用撮影体２３の具体例を示す図である。図１１（Ａ）は補正用撮影体２３の表面、図１１（Ｂ）は補正用撮影体２３の裏面を示す図である。本実施の形態では、補正用撮影体２３の表面は複数色を均等に配置している。裏面は補正用撮影体２３を撮影するときに撮影が行ないやすいように持ち手が備えられる。もちろん、補正用撮影体２３はこのような形態に限定するものではなく、複数色のグラデーションなどでもよい。また、色は肌色と髪色と瞳の色など顔関係の色味を重視したものが好ましい。補正用撮影体２３は、写真自動販売装置１で撮影を行なうときに被写体の背景となる背景装置３に備えていてもよい。また、平面体（カラーチャートの印刷されたカーテン、パネルなど）でも、立体（マネキンのようなものを含む）でもよい。
【００７７】
図７のステップＳ３６で、「画質補正設定スタート」ボタンがタッチされたら、ＣＰＵ１０３は、図１２が図示する補正用撮影体２３を撮影する案内画面を操作モニタ１２に表示する（Ｓ１００）。図１２を参照して、ＣＰＵ１０３は操作モニタ１２に、「補正用撮影体が下のようにライブモニタにちょうどおさまるように写る位置に固定して下さい。１０秒後に撮影します。」と表示し、ライブモニタ８にはカメラ７から取得される画像を表示する。利用者はライブモニタ８にあわせて補正用撮影体２３の撮影位置を決定する。
【００７８】
そして、ＣＰＵ１０３は、コンピュータ装置１０１のタイマにシャッタ動作までの所定時間（ここでは１０秒）の計時（カウント）を開始させる（Ｓ１０５）。カウント中に、「戻る」ボタンがタッチされた場合（Ｓ１１０でＹＥＳ）、設定処理をキャンセルし、図７のステップＳ３１へ戻り、テストモードのメニュー画面を表示する。このように、カウントが終了しないうちは（Ｓ１１５でＮＯ）、引き続きカウントを継続させ、「戻る」ボタンがタッチされたかどうかを判定する。カウントが終了したら（Ｓ１１５でＹＥＳ）、カメラ７のシャッタ動作を行ない、撮影を行なう（Ｓ１２０）。このように、補正用撮影体２３は手で支持して撮影するため、自動で所定時間経過後に撮影することが好ましい。
【００７９】
撮影が終了したら、ＣＰＵ１０３は、図１３が図示する撮影画像確認画面を操作モニタ１２に表示する（Ｓ１２３）。図１３を参照して、撮影画像と、「この撮影画像でいいですか？」という質問と、「ＯＫ」ボタンと「撮り直し」ボタンとを表示する。「ＯＫ」ボタンがタッチされず（Ｓ１２５でＮＯ）、「撮り直し」ボタンがタッチされたら（Ｓ１３０でＹＥＳ）、ステップＳ１００へ戻り、再び補正用撮影体２３の撮影を行なう。
【００８０】
「撮り直し」ボタンがタッチされない場合は（Ｓ１３０でＮＯ）、ステップＳ１２５へ戻り、「ＯＫ」ボタンがタッチされたか否かを監視する。「ＯＫ」ボタンがタッチされたら（Ｓ１２５でＹＥＳ）、ステップＳ１３５へ移る。また、ステップＳ１２５からステップＳ１３０の間で何らかのアクションがない場合は、所定時間を経過したら設定処理をキャンセルしてテストモードのメニュー画面に戻ってもよい。
【００８１】
「ＯＫ」ボタンがタッチされたら、ＣＰＵ１０３は、取得した撮影画像（第１の撮影画像）と、予め記憶部１０４に記憶されている基準画像とを比較する（Ｓ１３０）。比較する要素は、画像のコントラスト、明るさ、彩度、色相、特定色の色調などである。シールシートの色調や美しさなど、画質の品質に関連する事項を比較する。基準画像は、補正用撮影体２３を予め所定の条件で撮影した画像データであり、写真自動販売装置１の企画開発時に最適とされる撮影条件、照明条件で撮影されたデータを、最適な印刷条件で印刷し、企画開発を行なった設計者が目視確認し承諾したものである。
【００８２】
図１４は、画像のレベル分布を示す図である。レベル分布は色の分布を示す。線Ａは基準画像データのレベル分布を示し、線Ｂは第１の補正用撮影画像データのレベル分布を示す。このように、写真自動販売装置１の構成要素の個体差や状態によって、差が生じるためこの差分αを補正（調整）値とする。もちろん、レベル補正以外の補正を行なってもよい。
【００８３】
そして、ＣＰＵ１０３は、基準画像と第１の撮影画像との比較結果が基準値を超えているかどうかを判定する（Ｓ１３５）。基準値を超えている場合（Ｓ１３５でＹＥＳ）、図１５が図示する警告画面を表示し（Ｓ１４０）、図７のステップＳ３１へ戻り、テストモードのメニュー画面を表示する。ここで、サンプルシート２２を印刷してもよい。サンプルシート２２などの印刷媒体に印刷することにより容易に上記サンプルシート２２を製造者に送付することができるため、不具合原因を特定しやすくなる。
【００８４】
図１５は、ステップＳ１４０における警告画面を示す図である。比較結果が基準値を超えている場合は写真自動販売装置１のカメラ７やストロボ１１など各構成要素の故障などが想定されるため、比較結果から、考えられる原因も同時に表示する。基準画像と写り具合の差が大きい場合に、原因の調査が行ないやすくなる。この場合は補正は適用されない。原因が特定できない場合は製造者に連絡する旨の表示があってもよい。
【００８５】
基準値の範囲内の場合（Ｓ１４５でＮＯ）、ステップＳ１３５で比較した比較結果に基づいて、差分αを第１の補正値として決定して（Ｓ１５０）、記憶部１０４に保存する。
【００８６】
そして、第１の撮影画像に、第１の補正値で補正を適用して（Ｓ１５５）、第１の補正画像とし、メインフローである画質補正設定処理（図７のＳ３８）へ戻る。
【００８７】
以上が、第１の補正値決定処理の説明である。
【００８８】
図７に戻って、ステップＳ３７の第１の補正値決定処理で第１の補正値が決定したら第１の補正画像をプリンタ６へ送信し印刷する（Ｓ３８）。
【００８９】
図１６は印刷された第１のサンプルシート２２ａ（印刷媒体）を示す図である。上述の第１の補正画像が上記第１のサンプルシート２２ａ（印刷媒体）に印刷される。
【００９０】
このようにして第１のサンプルシート２２ａを得たら、第１のサンプルシート２２ａを用いて、第２の補正値を決定する処理を行なう（Ｓ３９）。
【００９１】
［第２の補正値決定処理］
【００９２】
次に、図７のステップＳ３９における画質補正設定処理における第２の補正値決定処理について説明する。図１７は第２の補正値決定処理を示すフローチャートである。
【００９３】
図７のステップＳ３８で、第１のサンプルシート２２ａが印刷されたら、ＣＰＵ１０３は、図１８が図示する第１のサンプルシート２２ａを撮影する案内画面を操作モニタ１２に表示する（Ｓ２００）。図１８を参照して、ＣＰＵ１０３は操作モニタ１２に、「サンプルシートが下のようにライブモニタにちょうどおさまるように写る位置に固定して下さい。２０秒後に撮影します。」と表示し、ライブモニタ８にはカメラ７から取得される画像とを表示する。利用者はライブモニタ８にあわせて第１のサンプルシート２２ａの撮影位置を決定する。
【００９４】
そして、ＣＰＵ１０３は、コンピュータ装置１０１のタイマで、シャッタ動作までの所定時間（ここでは２０秒）の計時（カウント）を開始する（Ｓ２０５）。カウント中に、「戻る」ボタンがタッチされた場合（Ｓ２１０でＹＥＳ）、設定処理をキャンセルし、図７のステップＳ３１へ戻り、テストモードのメニュー画面を表示する。このように、カウントが終了しないうちは（Ｓ２１５でＮＯ）、引き続きカウントを継続させ、「戻る」ボタンがタッチされたかどうかを判定する。カウントが終了したら（Ｓ２１５でＹＥＳ）、カメラ７のシャッタ動作を行ない、撮影を行なう（Ｓ２２０）。このように、第１のサンプルシート２２ａは手で支持して撮影するため、自動で所定時間経過後に撮影することが好ましい。
【００９５】
撮影が終了したら、ＣＰＵ１０３は、図１９が図示する撮影画像確認画面を操作モニタ１２に表示する（Ｓ２２３）。図１９を参照して、撮影画像と、「この撮影画像でいいですか？」という質問と、「ＯＫ」ボタンと「撮り直し」ボタンとを表示する。「ＯＫ」ボタンがタッチされず（Ｓ２２５でＮＯ）、「撮り直し」ボタンがタッチされたら（Ｓ２３０でＹＥＳ）、ステップＳ２００へ戻り、再び第１のサンプルシート２２ａの撮影を行なう。
【００９６】
「撮り直し」ボタンがタッチされない場合は（Ｓ２３０でＮＯ）、ステップＳ２２５へ戻り、「ＯＫ」ボタンがタッチされたか否かを監視する。「ＯＫ」ボタンがタッチされたら（Ｓ２２５でＹＥＳ）、ステップＳ２３５へ移る。また、ステップＳ２２５からステップＳ２３０の間で何らかのアクションがない場合は、所定時間を経過したら設定処理をキャンセルしてテストモードのメニュー画面に戻ってもよい。
【００９７】
「ＯＫ」ボタンがタッチされたら、ＣＰＵ１０３は、取得した撮影画像（第２の撮影画像）に前述の第１の補正値を適用し第１の補正画像とする（Ｓ２３５）。これは、第２の補正値決定処理においても、撮影時の誤差が生じることが想定されるため、その差分を補正する必要があるからである。
【００９８】
ついで、ＣＰＵ１０３は、取得した撮影画像（第１の補正画像）と、予め記憶部１０４に記憶されている基準画像とを比較する（Ｓ２４０）。そして、ＣＰＵ１０３は、基準画像と第１の補正画像との比較結果が基準値を超えているかどうかを判定する（Ｓ２４５）。基準値を超えている場合（Ｓ２４５でＹＥＳ）、図２０が図示する警告画面を表示し（Ｓ２５０）、図７のステップＳ３１へ戻り、テストモードのメニュー画面を表示する。第２の補正値決定処理における基準画像は、第１の補正値決定処理と同一のものであっても異なるものであってもよい。
【００９９】
図２０は、ステップＳ２４５における警告画面を示す図である。比較結果が基準値を超えている場合は写真自動販売装置１のプリンタ６など各構成要素の故障やヘッドの汚れ、インクの不足などが想定されるため、比較結果から、考えられる原因も同時に表示する。このようにすることにより、基準画像データと写り具合の差が大きい場合に、原因の調査が行ないやすくなる。この場合は補正は適用されない。原因が特定できない場合は製造者に連絡する旨の表示があってもよい。また、サンプルシート２２を印刷してもよい。サンプルシート２２などの印刷媒体に印刷することにより容易に上記サンプルシート２２を製造者に送付することができるため、不具合原因を特定しやすくなる。
【０１００】
基準値の範囲内の場合（Ｓ２４５でＮＯ）、ステップＳ２４０で比較した比較結果に基づいて、差分βを第２の補正値として決定し（Ｓ２５５）、記憶部１０４に保存する。
【０１０１】
そして、ステップＳ２３５の第１の補正画像に、第２の補正値を適用して第２の補正画像とし、メインフローである画質補正設定処理（図７のＳ４０）へ戻る。
【０１０２】
以上が、第２の補正値決定処理の説明である。
【０１０３】
図７に戻って、ステップＳ３９の第２の補正値決定処理で第２の補正値が決定したら第２のサンプルシート２２ｂ（印刷媒体）を印刷する（Ｓ４０）。
【０１０４】
図２１は印刷された第２のサンプルシート２２ｂ（印刷媒体）を示す図である。上記第２のサンプルシート２２ｂ（印刷媒体）には第２の補正画像が印刷される。図２１が示すように、補正前の画像（第１の撮影画像）と基準画像と補正後の画像（第２の補正画像）とを並べて印刷する。また、このとき、どれが基準画像で、どれが補正を適用した画像かがわかるような表示をしておくことが好ましい。このようにすることによって基準画像との比較が行ないやすくなり、設置者（操作者）に対して基準画像と該写真自動販売装置１の個体差による、微妙な画質の違いをわかりやすく提示することができる。
【０１０５】
図２２は、第１の補正値と第２の補正値を、写真自動販売装置１に適用するかどうかを決定する画質補正設定適用画面の具体例である。第２のサンプルシート２２ｂが印刷されると、ＣＰＵ１０３は、図２２が図示する画質補正設定適用画面を操作モニタ１２に表示する（Ｓ４１）。
【０１０６】
図２２が示すように「現在の補正値を適用しますか？」と質問が操作モニタ１２に表示され、「補正なし」と「基準画像」と「補正あり」との各々の画像が表示される。このようにすることによって、補正の結果、画質がどうなるのかがわかりやすく、もし補正によって画質が悪くなる場合は、補正値を適用しないようにすることができる。
【０１０７】
そして、ＣＰＵ１０３は、「ＯＫ」ボタンがタッチされたかどうか監視し（Ｓ４２）、「ＯＫ」ボタンがタッチされていない場合は（Ｓ４２でＮＯ）、「キャンセル」ボタンがタッチされたかどうか監視する（Ｓ４３）。
【０１０８】
「キャンセル」ボタンがタッチされた場合（Ｓ４３でＹＥＳ）、補正値を破棄し（Ｓ４４）、画質補正設定を行なわない。そして、ステップＳ３１へ戻り、テストモードのメニュー画面を表示する。「キャンセル」ボタンがタッチされない場合（Ｓ４３でＮＯ）、ステップＳ４２へ戻り、「ＯＫ」ボタンがタッチされたか否かを監視する。
【０１０９】
「ＯＫ」ボタンがタッチされたら（Ｓ４２でＹＥＳ）、補正値を記憶部１０４の所定領域に保存する（Ｓ４５）。そして、ステップＳ３１へ戻り、テストモードのメニュー画面を表示する。
【０１１０】
上述の画質補正処理を相対的な数値で示す。基準画像を作成した基準機での設定値を、仮にカメラ・照明・内部の塗装を加味した撮影条件での値を（０）、プリンタ設定を加味した印刷条件での値を（０）とする。また、市場に流通する量産機（写真自動販売装置）の１つの設定値を、仮にカメラ・照明・内部の塗装を加味した撮影条件（＋１）、プリンタ設定を加味した印刷条件（−２）とする。
【０１１１】
上述の条件の量産機で画質補正設定処理を行なうと、第１の補正値決定処理で得られる第１の撮影画像は撮影条件による誤差（＋１）が生じる。基準画像の撮影条件の設定値は（０）なので、第１補正値は（−１）となる。そして、第１補正値で第１の撮影画像を補正すると、（＋１−１＝０）となる。このようにして補正された第１補正画像（０）を量産機で印刷すると、プリンタなどによる印刷条件による誤差（−２）が生じる。すなわち、第１のサンプルシートは誤差（−２）が生じた状態で印刷される。
【０１１２】
第１のサンプルシートを撮影して得られる第２の撮影画像はさらに撮影条件による誤差（＋１）が生じるので、第１の補正値（−１）で第２の撮影画像の１回目の補正をする。このとき基準の設定値は（０）なので、第２補正値は（＋２）となる。そして、第２補正値で第２の撮影画像の２回目の補正をすると（−２＋２＝０）となる。このようにして、量産機を基準機の基準画像に近づけるように補正する。
【０１１３】
［第２の実施形態］
【０１１４】
［第１の補正値決定処理の変形例］
【０１１５】
次に、第２の実施形態における図７のステップＳ３７における画質補正設定処理における第１の補正値決定処理の変形例について説明する。その他の構成で、第１の実施形態と同様な部分は詳細な説明を繰り返さない。
【０１１６】
図２３は第１の補正値決定処理の変形例を示すフローチャートである。
【０１１７】
図７のステップＳ３６で、「画質補正設定スタート」ボタンがタッチされたら、ＣＰＵ１０３は、図２４が図示する補正用撮影体２３を撮影するよう案内する画面を操作モニタ１２に表示する（Ｓ３００）。
【０１１８】
図２４を参照して、ＣＰＵ１０３は操作モニタ１２に、「引き紐を矢印の方向に引いて補正用撮影体２３を所定の位置にセットして撮影ボタンを押して下さい」と表示し、ライブモニタ８にはカメラ７から取得される画像を表示する。設置者（操作者）は画面の指示にあわせて、補正用撮影体２３を所定の位置にセットする。所定の位置とは写真自動販売装置１の利用者が撮影時に主に立つことが想定される位置である。通常時、補正用撮影体２３は巻取装置２５で巻き取られており、引き紐２６を引くことによって、補正用撮影体２３が繰り出される。案内画面には、その巻取装置２５の位置や繰り出し方法などを表示する。
【０１１９】
そして、ＣＰＵ１０３は、「撮影」ボタンがタッチされたかどうか監視し（Ｓ３０５）、「撮影」ボタンがタッチされていない場合は（Ｓ３０５でＮＯ）、「戻る」ボタンがタッチされたかどうか監視する（Ｓ３１０）。
【０１２０】
「戻る」ボタンがタッチされた場合（Ｓ３１０でＹＥＳ）、図７のステップＳ３１へ戻り、テストモードのメニュー画面を表示する。「戻る」ボタンがタッチされない場合（Ｓ３１０でＮＯ）、ステップＳ１０５へ戻り、「撮影」ボタンがタッチされたか否かを監視する。
【０１２１】
「撮影」ボタンがタッチされたら（Ｓ３０５でＹＥＳ）、ＣＰＵ１０３は、図２５が図示する退出案内画面を操作モニタ１２に表示する（Ｓ３１３）。「カメラに写らないようにプレイ空間から退出して下さい」という案内を表示し、プレイ空間４から退出することを促す。このよにすることでカメラ７に作業者が写ることを防止する。
【０１２２】
コンピュータ装置１０１のタイマ１０８はシャッタ動作までの計時（カウント）を開始する（Ｓ３１５）。カウントが終了しないうちは（Ｓ３２０でＮＯ）、引き続きカウントを継続し、カウントが終了したら（Ｓ３２０でＹＥＳ）、カメラ７のシャッタ動作を行ない、撮影を行なう（Ｓ３２５）。
【０１２３】
そして、ＣＰＵ１０３は、図２６が図示する補正用撮影体２３を巻き取るよう案内する画面を操作モニタ１２に表示する（Ｓ３２８）。補正用撮影体２３にセンサを配備しておき、繰り出された状態であれば、警告音などをスピーカ２１に出力するようにしてもよい。
【０１２４】
撮影が終了したら、ＣＰＵ１０３は、取得した撮影画像（第１の撮影画像）と、予め記憶部１０４に記憶されている基準画像とを比較する（Ｓ３３０）。
【０１２５】
そして、ＣＰＵ１０３は、基準画像と第１の撮影画像との比較結果が基準値を超えているかどうかを判定する（Ｓ３３５）。基準値を超えている場合（Ｓ３３５でＹＥＳ）、第１の実施形態と同様に警告画面を表示し（Ｓ３４０）、図７のステップＳ３１へ戻り、テストモードのメニュー画面を表示する。
【０１２６】
基準値の範囲内の場合（Ｓ３３５でＮＯ）、ステップＳ１３０で比較した比較結果に基づいて、差分αを第１の補正値として決定し（Ｓ３４５）、記憶部１０４に保存する。
【０１２７】
そして、第１の撮影画像に第１の補正値を適用して第１の補正画像とし、メインフローである画質補正設定処理（図７のＳ３）へ戻る。
【０１２８】
このようにすることにより、写真自動販売装置１を利用する際に被写体が立つことが想定される位置で撮影した第１の撮影画像が得られるため、画質補正設定の精度が高くなり、より美しい写り具合のシールシートを利用者に提供できる。
【０１２９】
また、上述の巻取装置２５はモータ２７（図示せず）などによって自動的に動作するような形態でもよい。この場合、ステップＳ３０５で「撮影」ボタンがタッチされと自動的に補正用撮影体２３がセットされ、ステップＳ３２５で撮影が終了した後、自動的に補正用撮影体２３が収納される。このように、自動的に補正用撮影体２３がセットされるため、設置者（操作者）が手作業で補正用撮影体２３を繰り出したり巻き取ったりするなどの手間を省くことができる。
【０１３０】
［第３の実施形態］
【０１３１】
設置者は必ずしもシールシートの出来上がりの写り具合の良し悪しについてプロフェッショナルというわけではないので、画質補正設定の補正設定権限はプロである製造者（設計者）が行なうようにしてもよい。設置者が写り具合の良し悪しがわからないまま補正を許可してしまうと、補正を行なった結果、逆に写り具合が悪くなってしまっている場合があっても気づかないことも想定される。そのまま、写真自動販売装置１を稼動させると、当該写真自動販売装置１が写り具合の悪い機種として認知されてしまい、売上に影響が出るという問題がある。
【０１３２】
具体的には、写真自動販売装置1に通信手段を備えて、通信網を介してサーバと接続する。画質補正設定処理で、第１の補正画像と第２の補正画像とを得たら、写真自動販売装置１は前記画像データと店舗情報、写真自動販売装置１のシリアル番号、設定時間などの情報をサーバに送信する。サーバは前記データを受信したら、サーバの記憶部に記憶しておく。製造者（設計者）が、該データを比較検討し補正許可手段で補正許可をすると、サーバは補正許可データを再び元の写真自動販売装置１に対して送信する。写真自動販売装置１は前記補正許可データを受信すると、補正値を写真自動販売装置１の記憶部１０４に記憶し、画質補正が行なわれるようになる。
【図面の簡単な説明】
【０１３３】
【図１】本発明の実施の形態における写真自動販売装置１の外観の具体例を示す側面図である。
【図２】本体装置２を正面から見た斜視図である。
【図３】写真自動販売装置１の機能構成図である。
【図４】写真自動販売装置１の処理を示すフローチャートである。
【図５】編集画面の具体例を示す図である。
【図６】印刷画像作成処理を示すフローチャートである。
【図７】テストモードにおける画質補正設定処理を示すフローチャートである。
【図８】テストモードのメニュー画面の具体例を示す図である。
【図９】テストモードにおける画質補正設定画面の具体例を示す図である。
【図１０】第１の補正値決定処理を示すフローチャートである。
【図１１】補正用撮影体２３の具体例を示す図である。
【図１２】補正用撮影体２３の撮影案内画面の具体例を示す図である。
【図１３】補正用撮影体２３の撮影画像確認画面の具体例を示す図である。
【図１４】画像のレベル分布を示す図である。
【図１５】警告画面の具体例を示す図である。
【図１６】第１のサンプルシート２２ａの具体例を示す図である。
【図１７】第２の補正値決定処理を示すフローチャートである。
【図１８】第１のサンプルシート２２ａの撮影案内画面の具体例を示す図であるである。
【図１９】第１のサンプルシート２２ａの撮影画像確認画面の具体例を示す図である。
【図２０】ステップＳ２４５における警告画面の具体例を示す図である。
【図２１】第２のサンプルシート２２ｂの具体例を示す図である。
【図２２】画質補正設定適用画面の具体例を示す図である。
【図２３】第１の補正値決定処理の変形例を示すフローチャートである。
【図２４】補正用撮影体２３の撮影案内画面の具体例を示す図である。
【図２５】退出案内画面の具体例を示す図である。
【図２６】補正用撮影体２３の収納指示画面の具体例を示す図である。
【符号の説明】
【０１３４】
１  写真自動販売装置
２  本体装置
３  背景装置
４  プレイ空間
５  背景カーテン
６  プリンタ
７  カメラ
８  ライブモニタ
９  照明装置
１０  蛍光灯
１１  ストロボ
１２  操作モニタ
１３  タッチパネル
１４  タッチペン
１５  コイン投入口
１６  コイン排出口
１７  フロントドア
１８  プリント取出口
１９  印刷中ＬＥＤ
２０  印刷エラーＬＥＤ
２１  スピーカ
２２  サンプルシート
２３  補正用撮影体
２５  巻取装置
２６  引き紐
２７  モータ
１０１  コンピュータ装置
１０２  制御基板
１０３  ＣＰＵ
１０４  記憶部
１０５  メモリ
１０６  通信端末
１１０  ストロボ制御部
１１１  音声出力制御部
１１２  コイン制御部
１１３  サービスパネル
【図１】
2006113492.tif 000003
【図２】
2006113492.tif 000004
【図３】
2006113492.tif 000005
【図４】
2006113492.tif 000006
【図５】
2006113492.tif 000007
【図６】
2006113492.tif 000008
【図７】
2006113492.tif 000009
【図８】
2006113492.tif 000010
【図９】
2006113492.tif 000011
【図１０】
2006113492.tif 000012
【図１１】
2006113492.tif 000013
【図１２】
2006113492.tif 000014
【図１３】
2006113492.tif 000015
【図１４】
2006113492.tif 000016
【図１５】
2006113492.tif 000017
【図１６】
2006113492.tif 000018
【図１７】
2006113492.tif 000019
【図１８】
2006113492.tif 000020
【図１９】
2006113492.tif 000021
【図２０】
2006113492.tif 000022
【図２１】
2006113492.tif 000023
【図２２】
2006113492.tif 000024
【図２３】
2006113492.tif 000025
【図２４】
2006113492.tif 000026
【図２５】
2006113492.tif 000027
【図２６】
2006113492.tif 000028